(57)【特許請求の範囲】
【請求項１】
所定のモジュール寸法を有する箱型建物ユニットを組み合わせて上部構造体を形成し、該上部構造体の下方には、前記上部構造体を構成する箱型建物ユニットと略同一モジュール寸法の一側辺長さを有する箱型鋼製地下ユニットを埋設すると共に、該箱型鋼製地下ユニットの一側辺側に隣接して、前記箱型建物ユニットと略同一モジュール寸法の一側辺長さを有して、上部を開放する上部開放地下ユニットを配置するとともに、
前記上部開放地下ユニットは、前記箱型鋼製地下ユニットの桁側側面に隣接して埋設され、前記箱型建物ユニットと略同一モジュール寸法の桁延設方向長さを有し、上部の上面開口部に連接して、前記桁側側面対向面の一部を切り欠いて開放する側面開口部を有していることを特徴とする地下室を設けたユニット建物構造。
【請求項２】
前記箱型鋼製地下ユニットの一側辺が、桁側側面で、耐浸水構造を呈するように形成されていることを特徴とする請求項１記載の地下室を設けたユニット建物構造。
【発明の詳細な説明】
【０００１】
【産業上の利用分野】
この発明は、施工作業が容易で、堅牢な地下構造体によって構成される地下室を設けたユニット建物構造に関するものである。
【０００２】
【従来の技術】
従来、箱型建物ユニットを複数組み合わせて構成されるユニット建物が知られている。  このようなものでは、上部構造体が、妻方向長さを桁方向長さに比して長く設定される複数の箱型建物ユニット等によって主に構成されている。これらの所定のモジュール寸法に規格化された箱型建物ユニット等は工場で生産されて、これらの箱型建物ユニットを施工現場で組み合わせることにより、ユニット建物の上部構造体が短期間で構築されるものである。
【０００３】
また、建物１の地下室２を構成する地下構造体３の一部として、図９に示すように、ドライエリア４を設ける工法が知られている（特開平５−１３２９６７号公報等参照）。このような地下室２では、地下室２外周に沿って設けられた集水路５によって、水を集めて、溜め桝６に溜め、一定量以上に水位が上昇すると、排水ポンプ７が作動する。
【０００４】
排水ポンプ７の作動により、地下水位８は低下し、地下水位８の上昇で生じる浮力により、前記地下室２が浮上することが防止されるように構成されている。
【０００５】
なお、地下ユニットと上部の建物との連結構造については、特開平６−２８７９６６号公報等に記載されているようなものが知られている。
【０００６】
【発明が解決しようとする課題】
しかしながら、このような従来の地下室２を設けた建物構造では、建物１毎に予想される地下の水位上昇に応じて、ドライエリア４の面積、深さ及び排水ポンプ７の排水可能容量を設定し、生コンクリートを施工現場で打って養生させなければならない。
【０００７】
上部構造体としての１階以上に位置する建物１は、地下室２と共に養生させるドライエリア４周縁の生コンクリートの固化を待ってから構築しなければならず、施工期間が長期化してしまうといった問題があった。
【０００８】
また、条件によっては、ドライエリア４を必要としない建物１も存在し、個別に前記設定から設計を行っていては、製造コストが増大してしまうといった問題があった。
【０００９】
そこで、この発明は、施工期間の短縮を図ることが出来、地下ユニットの共用化を図ることにより製造コストの増大を抑制出来る地下室を設けたユニット建物構造を提供することを目的とするものである。
【００１０】
【課題を解決するための手段】
前記目的を達成するため、請求項１記載の発明では、所定のモジュール寸法を有する箱型建物ユニットを組み合わせて上部構造体を形成し、該上部構造体の下方には、前記上部構造体を構成する箱型建物ユニットと略同一モジュール寸法の一側辺長さを有する箱型鋼製地下ユニットを埋設すると共に、該箱型鋼製地下ユニットの一側辺側に隣接して、前記箱型建物ユニットと略同一モジュール寸法の一側辺長さを有して、上部を開放する上部開放地下ユニットを配置するとともに、前記上部開放地下ユニットは、前記箱型鋼製地下ユニットの桁側側面に隣接して埋設され、前記箱型建物ユニットと略同一モジュール寸法の桁延設方向長さを有し、上部の上面開口部に連接して、前記桁側側面対向面の一部を切り欠いて開放する側面開口部を有している地下室を設けたユニット建物構造を特徴としている。
【００１１】
このように構成された請求項１記載のものでは、箱型建物ユニットと略同一モジュール寸法の一側辺長さを有する箱型鋼製地下ユニットによって地下室が形成されて、耐浸水性能が該箱型鋼製地下ユニットに与えられることにより、該箱型鋼製地下ユニットによって構成される地下構造体部分のみで耐浸水施工が完結する。
【００１２】
また、前記上部開放地下ユニットは、設置条件に応じて適宜、該箱型鋼製地下ユニットの一側辺側に隣接配置される。
【００１４】
更に、前記箱型鋼製地下ユニット部分は、載置により施工が略完結して、上部に上部構造体としてユニット建物を載置させて直ちに構築を開始出来る。このように、前記上部開放地下ユニットと独立して構築を開始できるので、施工期間の短縮を図ることが出来る。
また、前記上部開放地下ユニットの側面開口部を前記箱型鋼製地下ユニットの桁側側面に隣接させて配置するので、該ドライエリア内と地下室内とを連通する連通開口が形成出来る。
また、前記上部構造体は、略同一モジュールで構成される建物ユニットからなるので、重量の計算が容易で、前記箱型鋼製地下ユニットに持たせる強度を容易に設定できる。
このため、個別に強度設計を行う必要が無く、予め、上部構造体を構成する建物ユニットの重量を支持できる強度を持たせて、窓或いは、出入り口開口部を前記箱型鋼製地下ユニットの桁側側面に形成することにより、通風及び採光性の良好なドライエリア一体型地下室を容易に、しかも、製造コストの上昇を抑制しつつ構築出来る。
また、請求項２に記載されたものでは、前記箱型鋼製地下ユニットの一側辺は、桁側側面で、耐浸水構造を呈するように形成されている請求項１記載の地下室を設けたユニット建物構造を特徴としている。
【００１５】
このように構成された請求項２記載の地下室を設けたユニット建物構造では、前記箱型鋼製地下ユニットの桁側側面が、耐浸水構造を呈するように形成されているので、該桁側側面に、前記上部開放地下ユニットを隣接配置することが出来る。
【００２０】
【発明の実施の形態１】
以下、この発明の実施の形態１を図面に基づいて説明する。
【００２１】
図１乃至図６は、この発明の実施の形態１の地下室を設けたユニット建物構造を示している。なお、従来例と同一乃至均等な部分については、同一符号を説明する。
【００２２】
この実施の形態１のユニット建物９は、妻方向長さを桁方向長さに比して長く設定される複数の箱型建物ユニット１０…によって主に構成される上部構造体１１と、複数の箱型鋼製地下ユニット１２，１３，１４及び上部開放地下ユニット１５によって構成される地下構造体１６とから主に構成されている。
【００２３】
そして、これらの所定のモジュール寸法に規格化された箱型建物ユニット１０…等は、予め工場で生産されて、これらの建物ユニット１０…等を施工現場で組み合わせることにより、ユニット建物９の上部構造体１１によって形成される１，２階居室及び地下構造体としての地下室１７，ドライエリア１８が短期間で構築されるものである。
【００２４】
このうち、箱型建物ユニット１０は、図２に示すように、フレーム枠体としての金属製の一対の天井梁１０ａ，１０ａ及び妻梁１０ｂ，１０ｂで構成された略矩形形状の上面部１０ｃと、フレーム枠体としての一対の床梁１０ｄ，１０ｄ及び妻梁１０ｅ，１０ｅで構成された略矩形形状の床面部１０ｆとが、ジョイントピース１０ｇ…を介して、各々四本の中空の柱材１０ｈ…の上，下端部に接合されて、略箱型形状のラーメン構造体を呈するように構成されている。そして、このラーメン構造体の周囲に内，外壁面部材１０ｉ，１０ｊ等が貼設されている。
【００２５】
また、この上部構造体１５の下方には、上部構造体１５を構成する前記箱型建物ユニット１０と略同一モジュール寸法の箱型鋼製地下ユニットとして、端部用の箱型鋼製地下ユニット１２，１３が埋設されると共に、これらの箱型鋼製地下ユニット１２，１３の間に位置する中間ユニットとしての箱型鋼製地下ユニット１４が、桁方向に直列に連結されることにより、内部に前記地下室１７を有する地下構造体１６が形成されている。
【００２６】
このうち、端部用の箱型鋼製地下ユニット１２は、図１に示すように、主に、防水性能を有する鋼板製外板部材１９によって開口部２０を形成した桁側側面を除く３側面部１２ｂ〜１２ｄが閉成されている。
【００２７】
また、これらの３側面部１２ｂ〜１２ｄの地下室１７内側には、内壁部材２１が貼設されている。これらの鋼板製外板部材２０と内壁部材２１との間には、複数のＨ字型鋼材２２…、及び開口部２０の周縁に設けられるＣチャネル型鋼材２３が介在されている。
【００２８】
このうち、Ｈ字型鋼材２２とＣチャネル型鋼材２３とは、各々床、両側壁、天井に周状となるように配設されることにより、側面視ロ字状を呈するように接続されている。
【００２９】
そして、前記鋼板製外板部材２０，内壁部材２１，及び各鋼材２２，２３とによって閉成される閉断面部内には、断熱材２４が充填されている。
【００３０】
更に、前記端部用の箱型鋼製地下ユニット１２の上面部１２ｅのコーナ四隅部には、前記箱型建物ユニット１０を連結する四本の固定ボルト２５…が立設されている。そして、この上面部１２ｅの一部には、上階に連通する階段用開口１２ｆが形成されていて、この箱型鋼製地下ユニット１２内に設けられる階段部１２ｇの上部をこの階段用開口１２ｆに臨ませている。
【００３１】
また、図１に示す前記中間ユニットとしての箱型鋼製地下ユニット１４には、桁側両側面に、前記各箱型鋼製地下ユニット１２，１３と接続される連結開口２６，２６が形成されている。
【００３２】
そして、図１に示す前記端部用の箱型鋼製地下ユニット１３は、前記箱型鋼製地下ユニット１２と対称位置となるように両端縁部に設けられて、前記鋼板製外板部材１９に覆われることにより耐浸水性能を有する一側辺としての桁側側面１３ａの略中央部に、窓開口部１３ｂが開口形成されている。この窓開口部１３ｂには、窓枠１３ｄに周囲を囲われた引き違い窓１３ｃが装着されている。
【００３３】
また、これらの各箱型鋼製地下ユニット１２〜１４の下面部には、地下基礎２７から立設されるアンカーボルト２８が挿通される挿通孔２９…が、コーナ四隅部に形成されている。
【００３４】
次に、本発明の実施の形態１の上部開放地下ユニット１５の構成について主に図３及び図５を用いて説明する。この上部開放地下ユニット１５は、前記箱型鋼製地下ユニット１３の桁側側面１３ａに隣接して埋設されるものである。
【００３５】
この上部開放地下ユニット１５は、図２中Ａ−Ａ断面線に沿う図３に示すように前記箱型建物ユニット１０及び箱型鋼製地下ユニット１３等と略同一モジュール寸法の桁延設方向長さを有する複数のＣチャネル型鋼材２３を所定間隔を置いて、桁方向に延設した床部３５と，複数のＣチャネル型鋼材２３を所定間隔を置いて、上，下方向に延設した桁方向側端面１５ｂとには、外側に耐浸水性能を有する鋼板製外板部材１９が各々貼設されている。また、図４中Ｃ−Ｃ線に沿う図５に示すように、妻方向両側面１５ｅ，１５ｅとには、外側に耐浸水性能を有する鋼板製外板部材１９，１９が各々貼設されている。
【００３６】
また、前記箱型鋼製地下ユニット１３の前記桁側側面１３ａと隣接する桁側側面１５ｃは、この桁側側面１３ａと桁方向長さを略同一長さとすると共に、図３に示すように、上下方向高さを略同一高さとしている。更に、これらの床部３５と，桁方向側端面１５ｂと、妻方向両側面１５ｅ，１５ｅとの内側には、防水コンクリート層１５ｆが設けられている。
【００３７】
この上部開放地下ユニット１５の上部には、上面開口部１５ａが形成されている。この上面開口部１５ａの両側部には、補強部材３０，３０及び天板３１，３１が装着されていて、桁方向側端面部１５ｂにかかる土圧を負担している。
【００３８】
この上部開放地下ユニット１５では、図１に示すように前記上面開口部１５ａに連接して、前記隣接する箱型鋼製地下ユニット１３の桁側側面１３ａと対向する桁側側面１５ｃに、一部を切り欠いて開放する側面開口部１５ｄが、正面視略凹字状に形成されている。  なお、これらの箱型鋼製地下ユニット１２〜１４のコーナ部近傍の妻側側面には、前記鋼板製外板部材１９に溶接されて、補助柱部材３２…が設けられている。
【００３９】
この補助柱部材３２は、前記各箱型鋼製地下ユニット１２〜１４の高さと略同じ高さ方向長さを有する長尺形状を呈して、下端部を前記地下基礎２７に固定されると共に、上端部３２ａに立設された固定ボルト３２ｂを前記箱型建物ユニット１０の底面部に設けられた前記ジョイントピース１０ｇ，１０ｇ部分の挿通孔に挿通されて締結されるように構成されている。
【００４０】
更に、前記端部用の箱型鋼製地下ユニット１２のコーナ部近傍の桁側側面１２ｄには、前記鋼板製外板部材１９に対して、ボルトを介して着脱自在となるように構成された補助柱部材３３，３３が設けられている。この補助柱部材３３は、前記箱型鋼製地下ユニット１２の高さと略同じ高さ方向長さを有する長尺形状を呈して、下端部が地下基礎２７に固定されると共に、上端部３３ａに立設された固定ボルト３３ｂを前記箱型建物ユニット１０の底面部に設けられた前記ジョイントピース１０ｇ，１０ｇ部分の挿通孔に挿通されて締結されるように構成されている。
【００４１】
次に、この実施の形態１のユニット建物の地下室を設けたユニット建物構造の作用について説明する。
【００４２】
この地下室１７を設けたユニット建物９では、施工現場において、地盤調査、及び整地が行われた後、土留め、根切り、山留めが行われる。掘削幅は、桁端面より４００ｍｍ、妻端面より２００ｍｍである。
【００４３】
掘削された底面部には、砕石が敷き詰められて、充分転圧作業が行われ、捨てコンクリートが打たれる。捨てコンクリートは、厚さ５０ｍｍ以上とし、Ｆｃ１３５ｋｇ／平方ｃｍ以上としている。
【００４４】
この上に、配筋及びアンカーセットが行われて、前記アンカーボルト２８…の突設位置が決定される。そして、厚さ３００〜５００ｍｍ、Ｆｃ１８０ｋｇ／平方ｃｍ以上となるように生コンクリートが打たれた後、空練りモルタルが、厚さ２５ｍｍでレベル調整を行いながら敷き込まれる  。
【００４５】
次に、前記箱型鋼製地下ユニット１２〜１４及び上部開放地下ユニット１５が、トレーラ等の前記箱型建物ユニット１０と同一運搬手段で施工現場に搬送され、前記基礎２７上に各々載置される。そして、これらの箱型鋼製地下ユニット１２〜１４の上部には、前記１，２階部分の箱型建物ユニット１０，１０が配置される。この際、各箱型鋼製地下ユニット１２〜１４の上面部から突設された固定ボルト２５，２５が、前記ジョイントピース１９ｇ，１９ｇに形成された挿通孔２９，２９に各々挿通されて位置決めされ、図６に示す上面視で、前記上部構造体１１の前記箱型建物ユニット１０，１０の投影面積内に前記地下構造体１６のうち、箱型鋼製地下ユニット１２〜１４部分が入るように位置する。
【００４６】
そして、図３に示すようにナット部材３４，３４で螺着固定されている。
【００４７】
このように、前記箱型建物ユニット１０と略同一モジュール寸法の桁延設方向長さを有する箱型鋼製地下ユニット１２〜１４によって地下室１７が形成されて、耐浸水性能がこれらの箱型鋼製地下ユニット１２〜１４に貼設された鋼板製外板部材１９等で与えられることにより、これらの箱型鋼製地下ユニット１２〜１４によって構成される地下構造体１６の上部開放地下ユニット１５を除く部分のみで耐浸水施工が完結する。
【００４８】
また、前記上部開放地下ユニット１５は、設置条件に応じて適宜、図３又は図５に示すようにこの箱型鋼製地下ユニット１３の桁側側面１３ａに隣接配置される。
【００４９】
更に、前記箱型鋼製地下ユニット１２〜１４部分は、載置により施工が略完結して、上部に上部構造体１１としてユニット建物の建物ユニット１０等を載置させて直ちに構築を開始出来る。このように、前記上部開放地下ユニット１５と独立して、上部構造体１１の構築を開始できるので、例えば、上部開放地下ユニット１５内の防水コンクリート層１５ｆ部分の養生と平行させて、上部構造体１１の構築を行うことが出来、施工期間の短縮を図ることが出来る。
【００５０】
前記箱型鋼製地下ユニット１２，１３の桁側側面１２ａ，１３ａは、耐浸水構造を呈するように形成されているので、桁側側面１２ａ，１３ａに、前記上部開放地下ユニット１５を隣接配置することが出来る。
【００５１】
この実施の形態１では、更に、前記上部開放地下ユニット１５の側面開口部１５ｄが、前記箱型鋼製地下ユニット１３の桁側側面１３ａに隣接させて配置されることにより、この上部開放地下ユニット１５によって形成されるドライエリア１８内と地下室１７内とを連通する連通開口が、前記窓開口部１３ｂ及び側面開口部１５ｄによって形成出来る。
【００５２】
また、前記上部構造体１１は、図２に示すように略同一モジュールで構成される建物ユニット１０等からなるので、重量の計算が容易で、前記箱型鋼製地下ユニット１２〜１４に持たせる強度を容易に設定できる。
【００５３】
このため、個別に強度設計を行う必要が無く、予め、上部構造体１１を構成する建物ユニット１０等の重量を支持できる強度を持たせて、引き違い窓１３ｃ或いは、出入り口開口部等を前記箱型鋼製地下ユニット１３の桁側側面１３ａに形成することにより、通風及び採光性の良好なドライエリア一体型地下室１７を容易に、しかも、製造コストの上昇を抑制しつつ構築出来る。
【００５６】
【実施の形態２】
図７は、この発明の実施の形態２の地下室を設けたユニット建物構造を示すものである。なお、前記実施の形態１及び変形例１と同一乃至均等な部分については同一符号を付して説明する。
【００５７】
この実施の形態２のユニット建物２０９では、前記箱型鋼製地下ユニット１４と上部開放地下ユニット１５との間に、妻方向の幅が約半分のハーフサイズ箱型鋼製地下ユニット２１０が、設けられている。
【００５８】
このハーフサイズ箱型鋼製地下ユニット２１０の上部には、一階部分に、このハーフサイズ箱型鋼製地下ユニット２１０と同一モジュールを有するハーフサイズ箱型建物ユニット２１１…が載置されていて、箱型建物ユニット１０等と共に、上部構造体２１２が構成されている。このように上面視では、上部構造体２１２の投影面積内に、地下構造体のうち、前記箱型鋼製地下ユニット１２，１４とハーフサイズ箱型鋼製地下ユニット２１０とが納められている。
【００５９】
更に、このハーフサイズ箱型鋼製地下ユニット２１０に連接されて、前記上部開放地下ユニット１５が設けられている。この上部開放地下ユニット１５も、前記ハーフサイズ箱型鋼製地下ユニット２１０と同様に妻方向の幅が、前記箱型鋼製地下ユニット１２の約半分に設定されているので、併せて一ユニット分の幅となり、前記通常寸法モジュールの箱型建物ユニット１０及び箱型鋼製地下ユニット１２と、搬送及びストックが同様に行える。
【００６０】
更に、この実施の形態１では、上部開放地下ユニット１５の上下方向高さが、前記箱型鋼製地下ユニット１２等の上下方向高さと略同一高さとしているので、基礎２７の上面に特殊な段差等を形成する必要なく、他の箱型鋼製地下ユニット１２〜１４と同じ高さの基礎２７上面に配置できる。このため、基礎２７の構築も容易で、この点においても製造コストの増大を抑制できる。
【００６１】
他の作用，効果については、前記実施の形態１と略同様であるので説明を省略する。
【００６７】
【実施の形態３】
図８に示す実施の形態３のユニット建物４０９では、前記箱型鋼製地下ユニット１２，１４の桁延設方向で、妻側面に隣接して、他の箱型鋼製地下ユニット１２，１４が埋設されている。
【００６８】
このうち、隣接された箱型鋼製地下ユニット１２，１２間には、通路開口４１０が形成されている。
【００６９】
このように構成された実施の形態３の地下室を設けたユニット建物構造では、桁延設方向に前記箱型鋼製地下ユニット１２，１４が連接されて、更に広い地下室空間を形成出来る。
【００７０】
この際、上部開放地下ユニット１５は、前記他の実施の形態１，２等の構成のユニット建物９，２０９等と、同一のものが使用できるので、この点においても、上部開放地下ユニット１５の共用化を図り、製造コストの増大を抑制できる。
【００７１】
他の作用，効果については、前記実施の形態１，２と略同様であるので説明を省略する。
【００７２】
以上、本発明の実施の形態１〜３を説明してきたが、本発明は、前記実施の形態１〜３に限定されるものではなく、本発明の要旨を逸脱しない範囲の設計変更等があっても本発明に含まれる。
【００７３】
例えば、前記発明の実施の形態１のユニット建物では、複数の箱型鋼製地下ユニット１２…及び上部開放地下ユニット１５を用いて地下構造体１６を構成するものを示して説明してきたが、特にこれに限らず、例えば単数等、箱型鋼製地下ユニット１２…及び上部開放地下ユニット１５の材質、数量、形状が特に限定されるものではなく、上部構造体１１を構成する箱型建物ユニット１０と略同一の一側辺側モジュール寸法を有して埋設されるものであるならば、例えば、桁延設方向の妻側に、同一の長さの妻側側辺を有する上部開放地下ユニットを隣接配置する等、何れの態様であってもよいことは当然である。
【００７４】
【発明の効果】
以上説明してきたように、請求項１記載の発明では、箱型建物ユニットと略同一モジュール寸法の一側辺長さを有する箱型鋼製地下ユニットによって地下室が形成されて、耐浸水性能が該箱型鋼製地下ユニットに与えられることにより、該箱型鋼製地下ユニットによって構成される地下構造体部分のみで耐浸水施工が完結する。
【００７５】
また、前記上部開放地下ユニットは、設置条件に応じて適宜、該箱型鋼製地下ユニットの一側辺側に隣接配置される。
【００７６】
このため、前記上部開放地下ユニットが不要であるユニット建物であっても、前記箱型鋼製地下ユニット部分は、略共用化出来、設置条件に左右されずに、上部構造体に適合した地下構造体を構築出来、製造コストの上昇が抑制される。
【００７７】
更に、前記箱型鋼製地下ユニット部分は、載置により施工が略完結して、上部に上部構造体としてユニット建物を載置させて直ちに構築を開始出来る。このように、前記上部開放地下ユニットと独立して構築を開始できるので、施工期間の短縮を図ることが出来る。
更に、前記上部開放地下ユニットの側面開口部を前記箱型鋼製地下ユニットの桁側側面に隣接させて配置するので、該ドライエリア内と地下室内とを連通する連通開口が形成出来る。
また、前記上部構造体は、略同一モジュールで構成される建物ユニットからなるので、重量の計算が容易で、前記箱型鋼製地下ユニットに持たせる強度を容易に設定できる。
このため、個別に強度設計を行う必要が無く、予め、上部構造体を構成する建物ユニットの重量を支持できる強度を持たせて、窓或いは、出入り口開口部を前記箱型鋼製地下ユニットの桁側側面に形成することにより、通風及び採光性の良好なドライエリア一体型地下室を容易に、しかも、製造コストの上昇を抑制しつつ構築出来る、という実用上有益な効果を発揮する。
また、請求項２に記載されたものでは、前記箱型鋼製地下ユニットの桁側側面が、耐浸水構造を呈するように形成されているので、該桁側側面に、前記上部開放地下ユニットを隣接配置することが出来る。
【図面の簡単な説明】
【図１】  本発明の実施の形態１の地下室を設けたユニット建物構造で地下構造体部分の構成を説明する分解斜視図である。
【図２】  この発明の実施の形態１の地下室を設けたユニット建物構造を示し、全体の構成を説明する一部断面斜視図である。
【図３】  実施の形態１の地下室を設けたユニット建物構造で、図２中Ａ−Ａ線に沿った位置での断面図である。
【図４】  実施の形態１の地下室を設けたユニット建物構造で、図３中Ｂ−Ｂ線に沿った位置での断面図である。
【図５】  実施の形態１の地下室を設けたユニット建物構造で、図４中Ｃ−Ｃ線に沿った位置での断面図である。
【図６】  実施の形態１の地下室を設けたユニット建物構造で、ユニット建物を上面から見た配置を説明する模式図である。
【図７】  実施の形態２の地下室を設けたユニット建物構造で、ユニット建物を上面から見た配置を説明する模式図である。
【図８】  実施の形態３の地下室を設けたユニット建物構造で、ユニット建物を上面から見た配置を説明する模式図である。
【図９】  従来例の地下室を設けた建物構造で、ドライエリア部分の構成を説明する断面図である。
【符号の説明】
９，１０９，２０９，３０９，４０９  ユニット建物
１０  箱型建物ユニット
１１，２１２  上部構造体
１２，１３，１４  箱型鋼製地下ユニット
１３ａ  桁側側面（一側辺）
１５  上部開放地下ユニット
１５ａ  上面開口部
１５ｂ  桁方向側端面部
１５ｃ  桁方向側面
１５ｄ  側面開口部
１６  地下構造体
１７  地下室
１８  ドライエリア
１９  鋼板製外板部材
３２，３３  補助柱部材
２１０  ハーフサイズ箱型鋼製地下ユニット
２１１  ハーフサイズ箱型建物ユニット
【図１】
0004094763.tif 000002
【図２】
0004094763.tif 000003
【図３】
0004094763.tif 000004
【図４】
0004094763.tif 000005
【図５】
0004094763.tif 000006
【図６】
0004094763.tif 000007
【図７】
0004094763.tif 000008
【図８】
0004094763.tif 000009
【図９】
0004094763.tif 000010